(57)【特許請求の範囲】
【請求項１】
遊技盤がセットされるベース枠の下部に形成されたセット板には、通路壁セット面が形成され、前記通路壁セット面には、前記遊技盤の後側から転落したセーフ球およびアウト球を合流させてパチンコ機外の回収部へ誘導する排出球通路が内部に形成された通路壁が着脱可能に装着された排出球誘導装置を備えたパチンコ機であって、
前記通路壁セット面には、前記排出球通路の長さが異なる複数の通路壁のうち、一つの通路壁が選択されて着脱可能に装着され、
前記通路壁セット面に前記選択された一つの通路壁が装着されることで、前記排出球通路の出口高さが前記回収部に適した高さに設定されるとともに、前記排出球通路の出口には、同排出球通路内を流下する球を受けて後方に導く棚板が設けられていることを特徴とする排出球誘導装置を備えたパチンコ機。
【請求項２】
請求項１に記載の排出球誘導装置を備えたパチンコ機であって、
セット板の通路壁セット面には、排出通路の上部おいて遊技盤の後側から転落したセーフ球およびアウト球を受ける誘導板が後方へ突出されていることを特徴とする排出球誘導装置を備えたパチンコ機。
【請求項３】
請求項１又は２に記載の排出球誘導装置を備えたパチンコ機であって、
セット板の通路壁セット面には、複数の通路壁のうち、一つの通路壁を選択しかつ同通路壁を後方から着脱可能に装着するための係止部を形成する一方、
前記複数の通路壁には、前記係止部に係脱可能に係合する係合片をそれぞれ形成したことを特徴とする排出球誘導装置を備えたパチンコ機。
【発明の詳細な説明】
【０００１】
【産業上の利用分野】
この発明はパチンコ機において、パチンコ機内からパチンコ機外へ排出される排出球群を誘導する排出球誘導装置に関する。
【０００２】
【従来の技術】
従来技術としては例えば実公平６−１４１号公報がある。この公報には、遊技盤の裏側から転落したセーフ球およびアウト球を、セット板の下部に一体成形された仕切り壁によって誘導してパチンコ機外へ排出するようにしたパチンコ機の遊技球通路が開示されている。
【０００３】
【発明が解決しようとする課題】
本発明はパチンコ機外へ排出される排出球群を誘導する排出球誘導機構の機能を高め、排出球群を誘導する通路壁の交換を可能にすることを課題とするものである。
【０００４】
【課題を解決するための手段】
請求項１に係る排出球誘導装置を備えたパチンコ機は、遊技盤がセットされるベース枠の下部に形成されたセット板には、通路壁セット面が形成され、前記通路壁セット面には、前記遊技盤の後側から転落したセーフ球およびアウト球を合流させてパチンコ機外の回収部へ誘導する排出球通路が内部に形成された通路壁が着脱可能に装着された排出球誘導装置を備えたパチンコ機であって、
前記通路壁セット面には、前記排出球通路の長さが異なる複数の通路壁のうち、一つの通路壁が選択されて着脱可能に装着され、
前記通路壁セット面に前記選択された一つの通路壁が装着されることで、前記排出球通路の出口高さが前記回収部に適した高さに設定されるとともに、前記排出球通路の出口には、同排出球通路内を流下する球を受けて後方に導く棚板が設けられていることを特徴とする。
【０００５】
前記構成において、遊技盤の裏側から転落したセーフ球およびアウト球が、ベース枠のセット板に取外し可能に結合された通路壁内の排出球通路で合流し、セーフ球およびアウト球が混在する排出球群が前記排出球通路を通ってパチンコ機外へ排出される。
また、パチンコ機外へ放出される排出球群の放出位置が排出球の回収に適した位置となる通路壁を選んで通路壁セット面にセットし、排出球群の放出位置を通路壁の交換によって変更する。
特に、複数の通路壁のうち、一つの通路壁が選択されて通路壁セット面に装着されることで、排出球通路の出口が回収部に適した高さに設定され、その排出球通路の出口には、同排出球通路内を流下する球を受けて後方に導く棚板が設けられている。
このため、排出球通路内を流下する球を、その排出球通路の出口の棚板で一旦受けてから後方に導いた後、パチンコ機外の回収部（すなわち遊技場の島側に設置された回収箱）に排出することができる。
【０００６】
請求項２に係る排出球誘導装置を備えたパチンコ機は、請求項１に記載の排出球誘導装置を備えたパチンコ機であって、
セット板の通路壁セット面には、排出通路の上部おいて遊技盤の後側から転落したセーフ球およびアウト球を受ける誘導板が後方へ突出されていることを特徴とする。
したがって、遊技盤の後側から転落したセーフ球およびアウト球は、排出通路の上部の誘導板によって受けられた後、同排出通路内を流下する。
【０００７】
請求項３に係る排出球誘導装置を備えたパチンコ機は、
請求項１又は２に記載の排出球誘導装置を備えたパチンコ機であって、
セット板の通路壁セット面には、複数の通路壁のうち、一つの通路壁を選択しかつ同通路壁を後方から着脱可能に装着するための係止部を形成する一方、
前記複数の通路壁には、前記係止部に係脱可能に係合する係合片をそれぞれ形成したことを特徴とする。
したがって、セット板の通路壁セット面に形成された係止部に対し、選択された一つの通路壁が、その係合片によって係合されることによって、通路壁セット面に選択された一つの通路壁が装着される。
これとは逆に、セット板の通路壁セット面に形成された係止部から係合片の係合を外すことによって通路壁が取り外される。
【０００８】
【発明の効果】
この発明によれば、排出球通路を通過してパチンコ機外へ排出される排出球群の衝撃作用によって通路壁が損傷したときに、通路壁を交換することによって排出球通路での損傷を容易に修復することができ、ベース枠全体を交換する必要がないので、排出球通路での損傷を修復する手数を軽減して補修コストを節減することができる。
また、排出球群をパチンコ機外へ放出する放出位置を通路壁の交換によって変更することができるので、排出球群を遊技場の島側に設置された回収箱内に回収する場合に回収箱の球受け口の高さが遊技場によって相異していても、排出球群の放出位置が回収箱の球受け口の高さに適応するように形成された通路壁を選んで通路壁セット面にセットすると、排出球群の放出位置を排出球の回収に適した位置に変更して排出球を回収することができる。
【０００９】
【実施例】
次に、本発明の１実施例を図面にしたがって説明する。
パチンコ機の木枠に組付けられたベース枠９には上皿および下皿の後方に設置されたセット板１０と、このセット板１０の上方に立設された枠体とが形成され、枠体の下枠部には賞品球を上皿内へ導入する前賞品球口２０が開設されている。
【００１０】
べース枠９のセット板１０の前面は遊技盤面にほぼ整合され、このセット板１０の前面には上皿内から送り出された遊技球を球発射起点となる基端部で受止めて発射球を遊技壁面へ案内する発射レール１５が先上り姿勢で固定され、また、セット板１０には発射レール１５上の遊技球を遊技盤面へ向けて発射させる発射機構が取付けられている。
【００１１】
セット板１０の前面の一端付近にはセット板１０に取付けられて効果音等を発するスピーカー１７が内部に収容された円筒状のスピーカー収容部２１が突設され、このスピーカー収容部２１の上面にはスピーカー１７上へ転落したこぼれ球を両側方の斜め下方へ誘導する球受け面２１ａが円弧面状に形成されている。
【００１２】
セット板１０の前側にはセット板１０に結合されてスピーカー１７の前面およびその両側方をカバーするスピーカーカバー樋１８が発射レール１５の側方に隣接して設置されている。
【００１３】
スピーカーカバー樋１８の内端付近には上面が発射レール１５側へ先下り状に傾斜したファール球誘導部１８ａが形成され、このファール球誘導部１８ａと発射レール１５の先端部との間には遊技盤面へ打出されて逆流したファール球が通り抜けるファール球通し口１９が形成されている。
【００１４】
セット板１０の前側には内方へ先下り状に傾斜した状態でスピーカー収納部２１の下方に設置されて球受け面２１ａに衝突して転落したこぼれ球を内方へ案内する第１こぼれ球誘導板２２と、内方へ先下り状に傾斜した状態で発射レール１５の下方に設置されて、こぼれ球を内方へ誘導する第２こぼれ球誘導板２３とが形成されている。
【００１５】
セット板１０の裏面にはその中央部付近に外方へ先下り状に傾斜した状態で設置されたアウト球誘導板２４と、このアウト球誘導板２４の外方に内方へ先下り状に傾斜した状態で間隙を隔てて設置された第３こぼれ球誘導板２５とが連接されている。
【００１６】
セット板１０の中央部付近には後方へ突出された左右１対の垂直な側壁部２６ａと、この両側壁部２６ａの後端縁に直交状に連接されて垂立された後壁部２６ｂと、両側壁部２６ａおよび後壁部２６ｂの下端縁に連接されて前下り状に傾斜した底壁部２６ｃとを有し、上端に開口部２６ｄが開設された球誘導ケース２６が一体状に形成されている。
【００１７】
球誘導ケース２６は遊技者に払い出される賞品球およびファール球を上方から受入れて前下方の下皿内へ送り出す目的で設置され、この球誘導ケース２６内には賞品球およびファール球が通過する球誘導室３２が形成されている。
【００１８】
球誘導ケース２６の表面には後壁部２６ｂおよび底壁部２６ｃを補強する複数本の補強リブ２６ｅが後壁部２６ｂの後面と底壁部２６ｃの下面とにわたって並行状に突出形成されている。
【００１９】
球誘導ケース２６の内壁面の上下部にはこの球誘導ケース２６内へ落下したパチンコ球が衝突する落下地点までの落差を縮小してパチンコ球の落下衝撃を緩衝する目的で球誘導ケース２６内に互に逆方向へ先下り状に傾斜した姿勢で設置された上下１対の緩衝板２７，２７が連接されている。
【００２０】
上側の緩衝板２７の前部はファール球の落下衝撃が緩衝されるように下側の緩衝板２７の前方へ延出されている。
【００２１】
球誘導ケース２６内へ落下した賞品球は上側の緩衝板２７に衝突して上側の緩衝板２７を伝って転動してから、下側の緩衝板２７に衝突して下側の緩衝板２７を伝って転動し、さらに球誘導ケース２６の底壁部２６ｃ上へ転落するか、若しくは下側の緩衝板２７に衝突してから底壁部２６ｃ上へ転落し、球誘導ケース２６内へ落下した賞品球の落下緩衝が緩衝板２７によって緩衝される。
【００２２】
球誘導ケース２６の後壁部２６ｂの中央部付近および下端には下側の緩衝板２７の先端縁の上方および下方にそれぞれ配設されて球誘導室３２を通行するパチンコ球およびその通行状態を監視する３個１組の賞品球透視孔３１がそれぞれ開設されている。
【００２３】
従って、球誘導ケース２６内での球詰まりの有無を賞品球透視孔３１によって見分けることができる。
【００２４】
球誘導ケース２６内の上部には球誘導ケース２６の後壁部２６ｂに連接されて前方へ突出された支軸３８によって左右方向への搖動可能に支持されて球誘導ケース２６内にパチンコ球が充満したときに搖動する満タン検出片３９が、上側の緩衝板２７によって覆われた状態で設置されている。
【００２５】
満タン検出片３９にはセット板１０の前面に取付けられた満タン検出スイッチ４７の触動片４７ａを満タン時に押上げる突片３９ａが突出形成されている。
【００２６】
セット板１０には上端縁が第３こぼれ球誘導板２５の先端に連接されて前端縁がセット板１０の後面に連接された状態で後方へ突出されて垂立された縦壁板１３が一体状に形成されている。
【００２７】
セット板１０には上端縁が縦壁板１３の下端縁に連接された上片１４ａと、この上片１４ａの下端縁と球誘導ケース２６の左側の側壁板２６ａとの間に一体状に橋架された下片１４ｂと、この下片１４ｂの上面に並行状に突設されて各上面が後下り状に傾斜した複数個のガイド突条１４ｃを有し、後方への突出幅が縦壁板１３の突出幅より増大された状態でセット板１０の後面に連接された樋板１４が一体状に形成されている。
【００２８】
樋板１４の上片１４ａの上端縁には球誘導ケース２６の左側の側壁板２６ａの外壁面に凸設された突縁２６ｇの高さと等しい高さで前後方向に沿って設置された突縁１４ｄが凸設されている。
【００２９】
セット板１０の後面で球誘導ケース２６と縦壁板１３との間には遊技盤１２の裏側から転落したセーフ球およびアウト球を合流させて上方から下方へ通過させてからパチンコ機外へ誘導する排出球通路３０がそれぞれ内部に形成された第１の通路壁２９Ａおよび第２の通路壁２９Ｂの一方が交替してセットされる通路壁セット面１６が垂直状に形成されている。
【００３０】
通路壁セット面１６の上下方向中央部の若干上方には各上面が後下り状に傾斜した複数個のガイド突条３７ａを有し、後方へ突出されて球誘導ケース２６と縦壁板１３との間に橋架された誘導板３７が連接されている。
【００３１】
通路壁セット面１６の四隅部には球誘導ケース２６の左側壁板２６ａの上端付近および突縁２６ｇ付近と、縦壁板１３の上端付近および突縁１４ｄ付近とにそれぞれ対向して上下２対の取付け孔４１が貫設されている（図２参照）。
【００３２】
球誘導ケース２６の側壁板２６ａの前端縁および縦壁板１３の前端縁には通路壁セット面１６の四隅部後側にそれぞれ配設された上下２対の係止部４２が各取付け孔４１にそれぞれ対向して凹設されている（図２参照）。
【００３３】
両通路壁２９Ａ，２９Ｂは合成樹脂材によって弾性曲げ変形可能に成形され、両通路壁２９Ａ，２９Ｂのうちの一方が球誘導ケース２６と縦壁板１３との間に挟み込まれて通路壁セット面１６の後側に設置される。
【００３４】
第１の通路壁２９Ａを通路壁セット面１６にセットすると、第１の通路壁２９内の排出球通路３０を通ってパチンコ機外へ放出されるセーフ球およびアウト球等の排出球群が通り抜けるように第１の通路壁２９Ａの下端の後端縁と、樋板１４の後端縁との間に開口された第１の球排出口３３Ａが排出球通路３０に連通される。
【００３５】
両通路壁２９Ａ，２９Ｂには球誘導ケース２６の左側壁板２６ａおよび縦壁板１３に重ね合わされて並立された左右１対の側壁板２９ａと、この両側壁板２９ａの後端縁に連接されて垂立された後壁板２９ｂとがそれぞれ形成されている。
【００３６】
両通路壁２９Ａ，２９Ｂの各対の側壁板２９ａの前部には誘導板３７を挿入する切欠き部２９ｃがそれぞれ凹設され、両通路壁２９Ａ，２９Ｂの各対の側壁板２９ａの前端縁の上下端部にはそれぞれ側方へ横出されて係止部４２に解離可能に掛止される左右２対の係合片２９ｄが突設されている。
【００３７】
両通路壁２９Ａ，２９Ｂの後壁板２９ｂには排出球通路３０を後方から監視する縦長状の透視窓２９ｅがそれぞれ開設されるとともに、両通路壁２９Ａ，２９Ａの後壁板２９ｂの前面には排出球通路３０の入口３３ａへ導入された排出球を整流して下方へ誘導してから前方へ誘導する整流ガイド２９ｆが並行状に突設されている（図６及び図７参照）。
【００３８】
第２の通路壁２９Ｂの下部後端には第２の通路壁２９Ｂの排出球通路３０を通過した排出球群を第１の球排出口３３Ａより高い位置からパチンコ機外へ放出する第２の球排出口３３Ｂが開口され、第２の通路壁２９Ｂの両側壁板２９ａの内壁面の下端には上面が後下り状に傾斜したガイド突条４３ａをそれぞれ有し、排出球通路３０内へ導入された排出球を第２の球排出口３３Ｂ側へ誘導する左右１対のガイド片（この発明の棚板に相当する）４３が連接されている。
【００３９】
第２の通路壁２９Ｂを通路壁セット面１６にセットすると、樋板１４の上端の開口面が両ガイド片４３によって閉塞されて第１の球排出口３３Ａと排出球通路３０とが遮断される。
【００４０】
通路壁２９Ａ（２９Ｂ）の前部をその曲げ弾発力に抗して挟圧すると、両側壁板２６ａの間隔および左右の係合片２９ｄの間隙が縮小して通路壁２９Ａ（２９Ｂ）を球誘導ケース２６と縦壁板１３との間に嵌め込むことができ、この状態で通路壁２９Ａ（２９Ｂ）を前方へ押し込むと、各係合片２９ｄが係止部４２にそれぞれ掛止されて通路壁２９Ａ（２９Ｂ）が元の形態に弾性復元し、通路壁２９Ａ（２９Ｂ）が通路壁セット面１６に結合される。
【００４１】
第１の通路壁２９Ａを通路壁セット面１６にセットすると、排出球通路３０へ導入されて排出球通路３０を通過した排出球群は第１の球排出口３３Ａを通り抜けて排出球群の放出位置が低くなった状態でパチンコ機外へ排出される。第２の通路壁２９Ｂを通路壁セット面１６にセットすると、排出球通路３０へ導入されて排出球通路３０を通過した排出球群は第２の排出口３３Ｂを通り抜けて排出球群の放出位置が高くなった状態でパチンコ機外へ排出される。
【００４２】
なお、パチンコ機内に貯留された賞品球をパチンコ機外へ球抜きする場合には球抜きされる賞品球群は図示しない球抜き通路を通って排出球通路３０へ導入される。
【００４３】
また、排出球通路３０へ導入される排出球のうち、セーフ球はベース枠９に組付けられた裏枠４０の下端のセーフ球誘導樋４８上のセーフ球通路を通って排出球通路３０へ導入され、アウト球はアウト球誘導板２４上のアウト球通路を通って排出球通路３０へ導入される。
【００４４】
本例では上記したように構成してあるので、排出球通路３０を通過してパチンコ機外へ排出される排出球群の衝撃作用によって第１若しくは第２の通路壁２９Ａ，２９Ｂが損傷したときに、第１若しくは第２の通路壁２９Ａ，２９Ｂを交換することによって排出球通路３０での損傷を容易に修復することができ、ベース枠９全体を交換する必要がないので、排出球通路３０での損傷を修復する手数を軽減して補修コストを節減することができる。
【００４５】
また、排出球群をパチンコ機外へ放出する放出位置を両通路壁２９Ａ，２９Ｂの交換によって変更することができるので、例えば図６，図７に示すように排出球群を遊技場の島側に設置された回収箱Ｂ内に回収する場合に回収箱Ｂの球受け口Ｂ１の高さが遊技場によって相異していても、球排出口３３Ａ，３３Ｂの位置が回収箱Ｂの球受け口Ｂ１の高さに適応するように形成された通路壁２９Ａ，２９Ｂを選んで通路壁セット面１６にセットすると、球排出口３３Ａ，３３Ｂの位置（高さ）を排出球の回収に適した位置（高さ）に変更して排出球を回収することができ、遊技場の島での回収箱Ｂの取替え設置が不要となる。
【００４６】
さらに、両通路壁２９Ａ，２９Ｂには整流ガイド２９ｆが排出球の流下方向に沿って形成されているので、セーフ球およびアウト球が合流して流下する排出球通路３０での排出球列の乱れを規正して排出球群を円滑に球排出口３３Ａ，３３Ｂへ誘導することができる。
【００４７】
また、排出球通路３０を透視窓２９ｅによって後方から監視することができるので、排出球通路３０での球詰りの有無をパチンコ機の背後から一見して見分けることができるとともに、棒などを透視窓２９ｅに差込んで球詰りした排出球群を分離させると、排出球通路３０での球詰りを容易に修復することができる。
【００４８】
また、通路壁セット面１６に誘導板３７が突出形成されているので、排出球通路３０へ導入された排出球の落下衝撃を誘導板３７によって受け止めて通路壁２９Ａ（２９Ｂ）に加えられる落下衝撃を低減させることができる。
【図面の簡単な説明】
【図１】  本発明の１実施例を示すベース枠の要部の正面図である。
【図２】  通路壁セット面付近の分解斜視図である。
【図３】  通路壁セット面付近の裏面図である。
【図４】  第１の通路壁をセットした状態を示すベース枠の要部の裏面図である。
【図５】  第２の通路壁をセットした状態を示すベース枠の要部の裏面図である。
【図６】  図４のＸ１−Ｘ１線拡大断面図である。
【図７】  図５のＸ２−Ｘ２線拡大断面図である。
【図８】  図４のＸ３−Ｘ３線拡大断面図である。
【図９】  図５のＸ４−Ｘ４線拡大断面図である。
【符号の説明】
９  ベース枠
１０  セット板
１６  通路壁セット面
２９Ａ  第１の通路壁
２９Ｂ  第２の通路壁
３０  排出球通路
３３Ａ  第１の球排出口
３３Ｂ  第２の球排出口
【図１】
0003638629.tif 000002
【図２】
0003638629.tif 000003
【図３】
0003638629.tif 000004
【図４】
0003638629.tif 000005
【図５】
0003638629.tif 000006
【図６】
0003638629.tif 000007
【図７】
0003638629.tif 000008
【図８】
0003638629.tif 000009
【図９】
0003638629.tif 000010